(57)【要約】  本開示は、ネットワークポリシー更新のトリガー方法、管理機能エンティティおよびコアネットワークデバイスを提供する。ポリシー管理機能エンティティに応用される当該ネットワークポリシー更新のトリガー方法は、端末のアプリケーションレイヤ情報から特定されたネットワークポリシーパラメータを取得するステップと、前記ネットワークポリシーパラメータに基づいて、ネットワークポリシーの更新をトリガーするステップとを含む。【選択図】  図２
2019523605.tif 000002
【特許請求の範囲】
【請求項１】
ポリシー管理機能エンティティに応用されるネットワークポリシー更新のトリガー方法であって、
端末のアプリケーションレイヤ情報から特定されたネットワークポリシーパラメータを取得するステップと、
前記ネットワークポリシーパラメータに基づいて、ネットワークポリシーの更新をトリガーするステップとを含むネットワークポリシー更新のトリガー方法。
【請求項２】
前記ネットワークポリシーパラメータを取得するステップは、
アプリケーションサーバーから送信される端末のアプリケーションレイヤ情報を受信するステップと、
前記アプリケーションレイヤ情報に基づいて、前記アプリケーションレイヤ情報に対応するネットワークポリシーパラメータを特定するステップとを含む請求項１に記載のネットワークポリシー更新のトリガー方法。
【請求項３】
前記アプリケーションレイヤ情報に端末の移動性情報が含まれる場合、
前記アプリケーションレイヤ情報に基づいて、前記アプリケーションレイヤ情報に対応するネットワークポリシーパラメータを特定するステップは、
端末の移動性情報に基づいて、前記端末の移動性制限を特定することを含む請求項２に記載のネットワークポリシー更新のトリガー方法。
【請求項４】
前記アプリケーションレイヤ情報にサービスの連続性特徴情報が含まれる場合、
前記アプリケーションレイヤ情報に基づいて、前記アプリケーションレイヤ情報に対応するネットワークポリシーパラメータを特定するステップは、
サービスの連続性特徴情報に基づいて、ＰＤＵ（Ｐｒｏｔｏｃｏｌ  Ｄａｔａ  Ｕｎｉｔ）セッションに必要な連続性方式を特定することを含む請求項２に記載のネットワークポリシー更新のトリガー方法。
【請求項５】
前記アプリケーションサーバーから送信されるアプリケーションレイヤ情報を受信するステップの前に、
前記アプリケーションサーバーから指定のアプリケーションレイヤ情報の取得を指示する購読情報を、前記アプリケーションサーバーに送信することをさらに含む請求項２に記載のネットワークポリシー更新のトリガー方法。
【請求項６】
前記ネットワークポリシーパラメータを取得するステップは、
コアネットワークデバイスが端末のアプリケーションレイヤ情報から特定したネットワークポリシーパラメータを前記コアネットワークデバイスから取得することを含む請求項１に記載のネットワークポリシー更新のトリガー方法。
【請求項７】
前記ネットワークポリシーの更新をトリガーするステップは、
ネットワークポリシーの更新要求をネットワーク制御機能エンティティに送信することを含む請求項１に記載のネットワークポリシー更新のトリガー方法。
【請求項８】
前記ネットワークポリシーパラメータに基づいて、ネットワークポリシーの更新をトリガーするステップは、
前記ネットワークポリシーパラメータに基づいてネットワークポリシーを取得し、前記ネットワークポリシーに基づいて、ネットワークポリシーの更新をトリガーすること、または、前記ネットワークポリシーパラメータに基づいてネットワークポリシーを取得し、前記ネットワークポリシーを保存し、ネットワークポリシーの更新をトリガーすることを含む請求項１に記載のネットワークポリシー更新のトリガー方法。
【請求項９】
端末のアプリケーションレイヤ情報から特定されたネットワークポリシーパラメータを取得することに用いられる第１取得モジュールと、
前記ネットワークポリシーパラメータに基づいて、ネットワークポリシーの更新をトリガーすることに用いられる第１トリガーモジュールとを含むポリシー管理機能エンティティ。
【請求項１０】
前記第１取得モジュールは、
アプリケーションサーバーから送信される端末のアプリケーションレイヤ情報を受信することに用いられる第１受信ユニットと、
前記アプリケーションレイヤ情報に基づいて、前記アプリケーションレイヤ情報に対応するネットワークポリシーパラメータを特定することに用いられる特定ユニットとを含む請求項９に記載のポリシー管理機能エンティティ。
【請求項１１】
前記アプリケーションレイヤ情報に端末の移動性情報が含まれる場合、
前記特定ユニットは、
端末の移動性情報に基づいて、前記端末の移動性制限を特定することに用いられる請求項１０に記載のポリシー管理機能エンティティ。
【請求項１２】
前記アプリケーションレイヤ情報にサービスの連続性特徴情報が含まれる場合、
前記特定ユニットは、
サービスの連続性特徴情報に基づいて、ＰＤＵセッションに必要な連続性方式を特定することに用いられる請求項１０に記載のポリシー管理機能エンティティ。
【請求項１３】
前記アプリケーションサーバーから指定のアプリケーションレイヤ情報の取得を指示する購読情報を、前記アプリケーションサーバーに送信することに用いられる購読情報送信モジュールをさらに含む請求項１０に記載のポリシー管理機能エンティティ。
【請求項１４】
前記第１取得モジュールは、
コアネットワークデバイスが端末のアプリケーションレイヤ情報から特定したネットワークポリシーパラメータを前記コアネットワークデバイスから取得することに用いられる取得ユニットを含む請求項９に記載のポリシー管理機能エンティティ。
【請求項１５】
前記第１トリガーモジュールは、
ネットワークポリシーの更新要求をネットワーク制御機能エンティティに送信することに用いられる請求項９に記載のポリシー管理機能エンティティ。
【請求項１６】
前記第１トリガーモジュールは、
前記ネットワークポリシーパラメータに基づいてネットワークポリシーを取得し、前記ネットワークポリシーに基づいて、ネットワークポリシーの更新をトリガーすること、または、
前記ネットワークポリシーパラメータに基づいてネットワークポリシーを取得し、前記ネットワークポリシーを保存し、ネットワークポリシーの更新をトリガーすることに用いられる請求項９に記載のポリシー管理機能エンティティ。
【請求項１７】
コアネットワークデバイスに応用されるネットワークポリシー更新のトリガー方法であって、
端末のアプリケーションレイヤ情報をアプリケーションサーバーから取得するステップと、
前記アプリケーションレイヤ情報に基づいて、前記アプリケーションレイヤ情報に対応するネットワークポリシーパラメータを取得するステップと、
契約管理機能エンティティまたはポリシー管理機能エンティティに前記ネットワークポリシーパラメータを送信し、前記契約管理機能エンティティまたはポリシー管理機能エンティティによるネットワークポリシーの更新をトリガーするステップとを含むネットワークポリシー更新のトリガー方法。
【請求項１８】
前記アプリケーションレイヤ情報には、端末の移動性情報および／またはサービスの連続性特徴情報が含まれ、
前記端末の移動性情報に対応するネットワークポリシーパラメータは、前記端末の移動性制限であり、
前記サービスの連続性特徴情報に対応するネットワークポリシーパラメータは、ＰＤＵセッションに必要な連続性方式である請求項１７に記載のネットワークポリシー更新のトリガー方法。
【請求項１９】
前記アプリケーションレイヤ情報に基づいて、前記アプリケーションレイヤ情報に対応するネットワークポリシーパラメータを取得するステップは、
前記アプリケーションレイヤ情報に対し分析と抽出を行うことによって、前記アプリケーションレイヤ情報を対応するネットワークポリシーパラメータに変換することを含む請求項１７に記載のネットワークポリシー更新のトリガー方法。
【請求項２０】
端末のアプリケーションレイヤ情報をアプリケーションサーバーから取得することに用いられる第２取得モジュールと、
前記アプリケーションレイヤ情報に基づいて、前記アプリケーションレイヤ情報に対応するネットワークポリシーパラメータを取得することに用いられる第３取得モジュールと、
契約管理機能エンティティまたはポリシー管理機能エンティティに前記ネットワークポリシーパラメータを送信し、前記契約管理機能エンティティまたはポリシー管理機能エンティティによるネットワークポリシーの更新をトリガーすることに用いられるパラメータ送信モジュールとを含むコアネットワークデバイス。
【請求項２１】
前記アプリケーションレイヤ情報には、端末の移動性情報および／またはサービスの連続性特徴情報が含まれ、
前記端末の移動性情報に対応するネットワークポリシーパラメータは、前記端末の移動性制限であり、
前記サービスの連続性特徴情報に対応するネットワークポリシーパラメータは、ＰＤＵセッションに必要な連続性方式である請求項２０に記載のコアネットワークデバイス。
【請求項２２】
前記第３取得モジュールは、
前記アプリケーションレイヤ情報に対し分析と抽出を行うことによって、前記アプリケーションレイヤ情報を対応するネットワークポリシーパラメータに変換することに用いられる請求項２０に記載のコアネットワークデバイス。
【請求項２３】
契約管理機能エンティティに応用されるネットワークポリシー更新のトリガー方法であって、
コアネットワークデバイスがアプリケーションサーバーのアプリケーションレイヤ情報から特定したネットワークポリシーパラメータを前記コアネットワークデバイスから受信するステップと、
前記ネットワークポリシーパラメータを保存し、前記ネットワークポリシーパラメータに基づいて、ネットワークポリシーの更新をトリガーし、または、前記ネットワークポリシーパラメータに基づいてネットワークポリシーを取得し、前記ネットワークポリシーを保存し、ネットワークポリシーの更新をトリガーするステップを含むネットワークポリシー更新のトリガー方法。
【請求項２４】
コアネットワークデバイスがアプリケーションサーバーのアプリケーションレイヤ情報から特定したネットワークポリシーパラメータを前記コアネットワークデバイスから受信することに用いられる受信モジュールと、
前記ネットワークポリシーパラメータを保存し、前記ネットワークポリシーパラメータに基づいて、ネットワークポリシーの更新をトリガーすることに用いられる第２トリガーモジュール、または、前記ネットワークポリシーパラメータに基づいてネットワークポリシーを取得し、前記ネットワークポリシーを保存し、ネットワークポリシーの更新をトリガーすることに用いられる第３トリガーモジュールを含む契約管理機能エンティティ。
【請求項２５】
バスアーキテクチャと通常の処理を管理するプロセッサと、
プロセッサによる操作実行に用いられるデータを記憶することができるメモリと、
データの送受信に用いられるトランシーバを含むポリシー管理機能エンティティであって、
前記プロセッサは、メモリからプログラムを読み取ることによって、
端末のアプリケーションレイヤ情報から特定されたネットワークポリシーパラメータを取得するプロセスと、
前記ネットワークポリシーパラメータに基づいて、ネットワークポリシーの更新をトリガーするプロセスとを実行することに用いられるポリシー管理機能エンティティ。
【請求項２６】
バスアーキテクチャと通常の処理を管理するプロセッサと、
プロセッサによる操作実行に用いられるデータを記憶することができるメモリと、
データの送受信に用いられるトランシーバを含むコアネットワークデバイスであって、
前記プロセッサは、メモリからプログラムを読み取ることによって、
端末のアプリケーションレイヤ情報をアプリケーションサーバーから前記トランシーバで取得するプロセスと、
前記アプリケーションレイヤ情報に基づいて、前記アプリケーションレイヤ情報に対応するネットワークポリシーパラメータを取得するプロセスと、
契約管理機能エンティティまたはポリシー管理機能エンティティに前記ネットワークポリシーパラメータを前記トランシーバで送信し、前記契約管理機能エンティティまたはポリシー管理機能エンティティによるネットワークポリシーの更新をトリガーするプロセスを実行することに用いられるコアネットワークデバイス。
【請求項２７】
バスアーキテクチャと通常の処理を管理するプロセッサと、
プロセッサによる操作実行に用いられるデータを記憶することができるメモリと、
データの送受信に用いられるトランシーバを含む契約管理機能エンティティであって、
前記プロセッサは、メモリからプログラムを読み取ることによって、
コアネットワークデバイスがアプリケーションサーバーのアプリケーションレイヤ情報から特定したネットワークポリシーパラメータを前記コアネットワークデバイスから前記トランシーバで受信するプロセスと、
前記ネットワークポリシーパラメータを保存し、前記ネットワークポリシーパラメータに基づいて、ネットワークポリシーの更新をトリガーし、または、前記ネットワークポリシーパラメータに基づいてネットワークポリシーを取得し、前記ネットワークポリシーを保存し、ネットワークポリシーの更新をトリガーするプロセスを実行することに用いられる契約管理機能エンティティ。
【発明の詳細な説明】
【技術分野】
【０００１】
本願は、２０１６年８月４日に中国特許庁に提出された中国特許出願２０１６１０６３４５８５．１の優先権を主張し、その全ての内容が援用によりここに取り込まれる。
本開示は、通信技術分野に係り、特にネットワークポリシー更新のトリガー方法、管理機能エンティティおよびコアネットワークデバイスに係る。
【背景技術】
【０００２】
ＮｅｘｔＧｅｎ（次世代）ネットワークのポリシー制御において、端末のネットワーク通信過程を制御するには、ネットワークから端末に対しネットワークポリシーを生成する必要がある。当該ネットワークポリシーは、端末の移動性制限またはＰＤＵ（Ｐｒｏｔｏｃｏｌ  Ｄａｔａ  Ｕｎｉｔ）の連続性方式を含む。
【０００３】
以下、まず端末の移動性制限とＰＤＵの連続性方式を説明する。
１．端末の移動性制限
５Ｇ（５ｔｈ  Ｇｅｎｅｒａｔｉｏｎ）ネットワークにおいて、端末の移動性に応じて、移動性サポートの差異化が必要であるため、端末の移動性制限の特定を可能にする必要がある。例えば、端末の移動性制限は、非移動性、制限付き移動性および制限なし移動性に分けられる。
端末の移動性制限の特定において、ネットワーク側は、例えば契約情報、端末の位置および端末が存在する時間帯などの端末情報を参照する必要がある可能性がある。契約情報には、端末のありうる移動性制限が記録され、例えば、端末がＡ場所であれば制限付き移動性であり、Ａ場所以外であれば制限無し移動性であると記録される。端末の移動性制限の特定において、まず、ネットワークにおけるポリシー制御／管理機能によって、端末の契約情報のうち、端末のありうる移動性制限を取得し、それから端末の現在位置、現在時間および使用中のアプリケーションの特徴に基づいて、端末の現在の移動性制限を特定する。
２．ＰＤＵセッションの連続性方式
５Ｇネットワークにおいて、端末は、ＰＤＵセッションの確立を要求する際に、まず確立待ちＰＤＵセッションの連続性方式を特定する必要がある。端末は、主にインストールされているアプリケーションソフトウェアの指示にしたがって、確立待ちＰＤＵセッションの連続性方式を特定する。続いて、端末は、確立済みＰＤＵセッションのセッション連続性方式をネットワークに提供する。
端末は、確立待ちＰＤＵセッションのセッション連続性方式をネットワークに指示しなければ、ネットワーク側は、当該ＰＤＵセッションの連続性方式を端末に対し選択する必要がある。
【０００４】
図１に示すように、ＬＴＥ（Ｌｏｎｇ  Ｔｅｒｍ  Ｅｖｏｌｕｔｉｏｎ）ネットワークにおいて、アプリケーション機能（ＡＦ）（Ａｐｐｌｉｃａｔｉｏｎ  Ｆｕｎｃｔｉｏｎ）とポリシーおよび課金ルール機能（ＰＣＲＦ）（Ｐｏｌｉｃｙ  ａｎｄ  Ｃｈａｒｇｉｎｇ  Ｒｕｌｅｓ  Ｆｕｎｃｔｉｏｎ）との間のＲｘインタフェースは、アプリケーションのＱｏＳ（Ｑｕａｌｉｔｙ  ｏｆ  Ｓｅｒｖｉｃｅ）要求やアプリケーションＩＤなどが含まれるアプリケーションレイヤ情報の伝送に用いられ、Ｒｘインタフェースで伝送されるアプリケーションレイヤ情報がＰＣＲＦに保存される。しかし、従来技術において、ＰＣＲＦは、Ｒｘインタフェースからアプリケーションサーバーにおける端末移動性情報とＰＤＵセッションの連続性要件を取得しない。
【０００５】
なお、端末移動性情報は、例えば端末の移動規則や将来の移動軌跡を取得可能なアプリケーションサーバーによってより正しく取得される。これらの端末移動性情報は、ネットワーク側において端末の移動性制限をより正しく特定することに用いられる。しかし、現在の端末移動性制限の特定方法は、アプリケーションレイヤから取得可能な端末移動性情報が考慮されていない。
【０００６】
関連技術において、端末が確立したＰＤＵセッションの連続性要件は、端末のソフトウェアの指示に基づいて特定されるが、ユーザによるサービスの差異化ニーズが考慮されていない。すなわち、アプリケーションサーバーは、ユーザ別に異なるサービス連続性要件を提供することができる。例えば、ＶＩＰユーザに対し、比較的高い連続性保証を提供する。したがって、関連技術は、アプリケーションのニーズに応じてサービス連続性を提供することができない。
【０００７】
以上の記載をまとめると、関連技術は、アプリケーションレイヤ情報を用いてネットワークポリシーの更新を動的にトリガーすることができない。
【発明の概要】
【発明が解決しようとする課題】
【０００８】
本開示の解決しようとする技術課題は、ネットワークポリシー更新のトリガー方法、管理機能エンティティおよびコアネットワークデバイスを提供することによって、生成されたネットワークポリシーが適切なものではなく、かつアプリケーションレイヤ情報を用いてネットワークポリシーの更新を動的にトリガーすることができず、ネットワーク通信に影響を与えるという関連技術に存在する問題を解決することである。
【課題を解決するための手段】
【０００９】
上記技術課題を解決するために、本開示の実施例は、ポリシー管理機能エンティティに応用されるネットワークポリシー更新のトリガー方法を提供する。当該方法は、端末のアプリケーションレイヤ情報から特定されたネットワークポリシーパラメータを取得するステップと、前記ネットワークポリシーパラメータに基づいて、ネットワークポリシーの更新をトリガーするステップとを含む。
【００１０】
さらに、前記ネットワークポリシーパラメータを取得するステップは、アプリケーションサーバーから送信される端末のアプリケーションレイヤ情報を受信するステップと、前記アプリケーションレイヤ情報に基づいて、前記アプリケーションレイヤ情報に対応するネットワークポリシーパラメータを特定するステップとを含む。
【００１１】
さらに、前記アプリケーションレイヤ情報に端末の移動性情報が含まれる場合、前記アプリケーションレイヤ情報に基づいて、前記アプリケーションレイヤ情報に対応するネットワークポリシーパラメータを特定するステップは、端末の移動性情報に基づいて、前記端末の移動性制限を特定することを含む。
【００１２】
さらに、前記アプリケーションレイヤ情報にサービスの連続性特徴情報が含まれる場合、前記アプリケーションレイヤ情報に基づいて、前記アプリケーションレイヤ情報に対応するネットワークポリシーパラメータを特定するステップは、サービスの連続性特徴情報に基づいて、ＰＤＵセッションに必要な連続性方式を特定することを含む。
【００１３】
さらに、前記方法は、前記アプリケーションサーバーから送信されるアプリケーションレイヤ情報を受信するステップの前に、前記アプリケーションサーバーから指定のアプリケーションレイヤ情報の取得を指示する購読情報を前記アプリケーションサーバーに送信することをさらに含む。
【００１４】
さらに、前記ネットワークポリシーパラメータを取得するステップは、コアネットワークデバイスが端末のアプリケーションレイヤ情報から特定したネットワークポリシーパラメータを前記コアネットワークデバイスから取得することを含む。
【００１５】
さらに、前記ネットワークポリシーの更新をトリガーするステップは、ネットワークポリシーの更新要求をネットワーク制御機能エンティティに送信することを含む。
【００１６】
さらに、前記ネットワークポリシーパラメータに基づいて、ネットワークポリシーの更新をトリガーするステップは、前記ネットワークポリシーパラメータに基づいてネットワークポリシーを取得し、前記ネットワークポリシーに基づいて、ネットワークポリシーの更新をトリガーすること、または、前記ネットワークポリシーパラメータに基づいてネットワークポリシーを取得し、前記ネットワークポリシーを保存し、ネットワークポリシーの更新をトリガーすることを含む。
【００１７】
本開示の実施例は、端末のアプリケーションレイヤ情報から特定されたネットワークポリシーパラメータを取得することに用いられる第１取得モジュールと、前記ネットワークポリシーパラメータに基づいて、ネットワークポリシーの更新をトリガーすることに用いられる第１トリガーモジュールとを含むポリシー管理機能エンティティを提供する。
【００１８】
さらに、前記第１取得モジュールは、アプリケーションサーバーから送信される端末のアプリケーションレイヤ情報を受信することに用いられる第１受信ユニットと、前記アプリケーションレイヤ情報に基づいて、前記アプリケーションレイヤ情報に対応するネットワークポリシーパラメータを特定することに用いられる特定ユニットとを含む。
【００１９】
さらに、前記アプリケーションレイヤ情報に端末の移動性情報が含まれる場合、前記特定ユニットは、端末の移動性情報に基づいて、前記端末の移動性制限を特定することに用いられる。
【００２０】
さらに、前記アプリケーションレイヤ情報にサービスの連続性特徴情報が含まれる場合、前記特定ユニットは、サービスの連続性特徴情報に基づいて、ＰＤＵセッションに必要な連続性方式を特定することに用いられる。
【００２１】
さらに、前記ポリシー管理機能エンティティは、前記アプリケーションサーバーから指定のアプリケーションレイヤ情報の取得を指示する購読情報を、前記アプリケーションサーバーに送信することに用いられる購読情報送信モジュールをさらに含む。
【００２２】
さらに、前記第１取得モジュールは、コアネットワークデバイスが端末のアプリケーションレイヤ情報から特定したネットワークポリシーパラメータを前記コアネットワークデバイスから取得することに用いられる取得ユニットを含む。
【００２３】
さらに、前記第１トリガーモジュールは、ネットワークポリシーの更新要求をネットワーク制御機能エンティティに送信することに用いられる。
【００２４】
さらに、前記第１トリガーモジュールは、前記ネットワークポリシーパラメータに基づいてネットワークポリシーを取得し、前記ネットワークポリシーに基づいて、ネットワークポリシーの更新をトリガーすること、または、前記ネットワークポリシーパラメータに基づいてネットワークポリシーを取得し、前記ネットワークポリシーを保存し、ネットワークポリシーの更新をトリガーすることに用いられる。
【００２５】
本開示の実施例は、コアネットワークデバイスに応用されるネットワークポリシー更新のトリガー方法を提供する。当該方法は、端末のアプリケーションレイヤ情報をアプリケーションサーバーから取得するステップと、前記アプリケーションレイヤ情報に基づいて、前記アプリケーションレイヤ情報に対応するネットワークポリシーパラメータを取得するステップと、契約管理機能エンティティまたはポリシー管理機能エンティティに前記ネットワークポリシーパラメータを送信し、前記契約管理機能エンティティまたはポリシー管理機能エンティティによるネットワークポリシーの更新をトリガーするステップとを含む。
【００２６】
さらに、前記アプリケーションレイヤ情報には、端末の移動性情報および／またはサービスの連続性特徴情報が含まれる。ここで、前記端末の移動性情報に対応するネットワークポリシーパラメータは、前記端末の移動性制限であり、前記サービスの連続性特徴情報に対応するネットワークポリシーパラメータは、ＰＤＵセッションに必要な連続性方式である。
【００２７】
さらに、前記アプリケーションレイヤ情報に基づいて、前記アプリケーションレイヤ情報に対応するネットワークポリシーパラメータを取得するステップは、前記アプリケーションレイヤ情報に対し分析と抽出を行うことによって、前記アプリケーションレイヤ情報を対応するネットワークポリシーパラメータに変換することを含む。
【００２８】
本開示の実施例は、端末のアプリケーションレイヤ情報をアプリケーションサーバーから取得することに用いられる第２取得モジュールと、前記アプリケーションレイヤ情報に基づいて、前記アプリケーションレイヤ情報に対応するネットワークポリシーパラメータを取得することに用いられる第３取得モジュールと、契約管理機能エンティティまたはポリシー管理機能エンティティに前記ネットワークポリシーパラメータを送信し、前記契約管理機能エンティティまたはポリシー管理機能エンティティによるネットワークポリシーの更新をトリガーすることに用いられるパラメータ送信モジュールとを含むコアネットワークデバイスを提供する。
【００２９】
さらに、前記アプリケーションレイヤ情報には、端末の移動性情報および／またはサービスの連続性特徴情報が含まれる。ここで、前記端末の移動性情報に対応するネットワークポリシーパラメータは、前記端末の移動性制限であり、前記サービスの連続性特徴情報に対応するネットワークポリシーパラメータは、ＰＤＵセッションに必要な連続性方式である。
【００３０】
さらに、前記第３取得モジュールは、前記アプリケーションレイヤ情報に対し分析と抽出を行うことによって、前記アプリケーションレイヤ情報を対応するネットワークポリシーパラメータに変換することに用いられる。
【００３１】
本開示の実施例は、契約管理機能エンティティに応用されるネットワークポリシー更新のトリガー方法を提供する。当該方法は、コアネットワークデバイスがアプリケーションサーバーのアプリケーションレイヤ情報から特定したネットワークポリシーパラメータを前記コアネットワークデバイスから受信するステップと、前記ネットワークポリシーパラメータを保存し、前記ネットワークポリシーパラメータに基づいて、ネットワークポリシーの更新をトリガーし、または、前記ネットワークポリシーパラメータに基づいてネットワークポリシーを取得し、前記ネットワークポリシーを保存し、ネットワークポリシーの更新をトリガーするステップを含む。
【００３２】
本開示の実施例は、コアネットワークデバイスがアプリケーションサーバーのアプリケーションレイヤ情報から特定したネットワークポリシーパラメータを前記コアネットワークデバイスから受信することに用いられる受信モジュールと、前記ネットワークポリシーパラメータを保存し、前記ネットワークポリシーパラメータに基づいて、ネットワークポリシーの更新をトリガーすることに用いられる第２トリガーモジュール、または、前記ネットワークポリシーパラメータに基づいてネットワークポリシーを取得し、前記ネットワークポリシーを保存し、ネットワークポリシーの更新をトリガーすることに用いられる第３トリガーモジュールを含む契約管理機能エンティティを提供する。
【００３３】
本開示の実施例は、バスアーキテクチャと通常の処理を管理するプロセッサと、プロセッサによる操作実行に用いられるデータを記憶することができるメモリと、データの送受信に用いられるトランシーバを含むポリシー管理機能エンティティを提供する。前記プロセッサは、メモリからプログラムを読み取ることによって、端末のアプリケーションレイヤ情報から特定されたネットワークポリシーパラメータを取得するプロセスと、前記ネットワークポリシーパラメータに基づいて、ネットワークポリシーの更新をトリガーするプロセスとを実行することに用いられる。
【００３４】
本開示の実施例は、バスアーキテクチャと通常の処理を管理するプロセッサと、プロセッサによる操作実行に用いられるデータを記憶することができるメモリと、データの送受信に用いられるトランシーバを含むコアネットワークデバイスを提供する。前記プロセッサは、メモリからプログラムを読み取ることによって、端末のアプリケーションレイヤ情報をアプリケーションサーバーから前記トランシーバで取得するプロセスと、前記アプリケーションレイヤ情報に基づいて、前記アプリケーションレイヤ情報に対応するネットワークポリシーパラメータを取得するプロセスと、契約管理機能エンティティまたはポリシー管理機能エンティティに前記ネットワークポリシーパラメータを前記トランシーバで送信し、前記契約管理機能エンティティまたはポリシー管理機能エンティティによるネットワークポリシーの更新をトリガーするプロセスを実行することに用いられる。
【００３５】
本開示の実施例は、バスアーキテクチャと通常の処理を管理するプロセッサと、プロセッサによる操作実行に用いられるデータを記憶することができるメモリと、データの送受信に用いられるトランシーバを含む契約管理機能エンティティを提供する。前記プロセッサは、メモリからプログラムを読み取ることによって、コアネットワークデバイスがアプリケーションサーバーのアプリケーションレイヤ情報から特定したネットワークポリシーパラメータを前記コアネットワークデバイスから前記トランシーバで受信するプロセスと、前記ネットワークポリシーパラメータを保存し、前記ネットワークポリシーパラメータに基づいて、ネットワークポリシーの更新をトリガーし、または、前記ネットワークポリシーパラメータに基づいてネットワークポリシーを取得し、前記ネットワークポリシーを保存し、ネットワークポリシーの更新をトリガーするプロセスを実行することに用いられる。
【発明の効果】
【００３６】
上記において、端末のアプリケーションレイヤ情報からネットワークポリシーパラメータを取得し、アプリケーションレイヤ情報から特定したネットワークポリシーパラメータと、現在のネットワークポリシーパラメータとが一致しない場合、ネットワークポリシーの更新をトリガーする。このような方式によれば、アプリケーションレイヤ情報を用いて、現在のネットワークポリシーがネットワークの通信要件を満たすか否かを正しく判定することができる。現在のネットワークポリシーが通信要件を満たさない場合、ネットワークポリシーの更新をリアルタイムに行い、ネットワークポリシーの正確性を確保し、さらに、ネットワーク通信の信頼性を保証する。
【００３７】
本開示の実施例の技術手段をより明確に説明するために、以下、実施例の記載に必要とされる図面を簡単に紹介する。明らかに、以下の記載に関する図面は、単に本願の一部の実施例である。当業者にとって、創造性のある作業をしない前提で、これらの図面から他の図面を得ることもできる。以下の図面は、わざわざ実際のサイズにしたがって等比例に収縮または拡大して描いていなく、本願の趣旨を示すことにポイントを置く。
【図面の簡単な説明】
【００３８】
【図１】図１は、関連技術のＬＴＥネットワークにおけるポリシーおよび課金制御（ＰＣＣ）（Ｐｏｌｉｃｙ  ａｎｄ  Ｃｈａｒｇｉｎｇ  Ｃｏｎｔｒｏｌ）の構造図である。
【図２】図２は、本開示の一部実施例におけるネットワークポリシー更新のトリガー方法のフローチャートである。
【図３】図３は、本開示の一部実施例におけるネットワークポリシー更新のトリガー方法の別のフローチャートである。
【図４】図４は、端末の移動性情報によってネットワークポリシーの更新をトリガーする具体的なフローである。
【図５】図５は、サービスの連続性特徴情報によってネットワークポリシーの更新をトリガーする具体的なフローである。
【図６】図６は、本開示の一部実施例におけるネットワークポリシー更新のトリガー方法の別のフローチャートである。
【図７】図７は、本開示の一部実施例におけるポリシー管理機能エンティティのモジュール図である。
【図８】図８は、本開示の一部実施例におけるポリシー管理機能エンティティの構造図である。
【図９】図９は、本開示の一部実施例におけるネットワークポリシー更新のトリガー方法の別のフローチャートである。
【図１０】図１０は、本開示の一部実施例におけるネットワークポリシー更新のトリガー方法の詳細のフローチャートである。
【図１１】図１１は、本開示の一部実施例におけるコアネットワークデバイスのモジュール図である。
【図１２】図１２は、本開示の一部実施例におけるコアネットワークデバイスの構造図である。
【図１３】図１３は、本開示の一部実施例におけるネットワークポリシー更新のトリガー方法の別のフローチャートである。
【図１４】図１４は、本開示の一部実施例における契約管理機能エンティティのモジュール図である。
【図１５】図１５は、本開示の一部実施例における契約管理機能エンティティの構造図である。
【発明を実施するための形態】
【００３９】
本開示の実施例の目的、技術手段及び利点をより明確にするために、以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての実施例は、いずれも本開示の保護範囲に属するものである。本開示は、生成されたネットワークポリシーが適切なものではなく、かつアプリケーションレイヤ情報を用いてネットワークポリシーの更新を動的にトリガーすることができず、ネットワーク通信に影響を与えるという従来技術に存在する問題に対し、ネットワークポリシー更新のトリガー方法、管理機能エンティティおよびコアネットワークデバイスを提供する。
【００４０】
図２に示すように、本開示の一部実施例のネットワークポリシー更新のトリガー方法は、ポリシー管理機能エンティティに応用される方法であり、端末のアプリケーションレイヤ情報から特定されたネットワークポリシーパラメータを取得するステップ２１と、前記ネットワークポリシーパラメータに基づいて、ネットワークポリシーの更新をトリガーするステップ２２とを含む。
【００４１】
通常の場合では、現在のネットワークポリシーパラメータと、取得したネットワークポリシーパラメータとが一致せず、または、新規のネットワークポリシーパラメータを取得した場合に、ネットワークポリシーの更新をトリガーする。
【００４２】
なお、当該ネットワークポリシーパラメータは、ポリシー管理機能エンティティがアプリケーションサーバーから受信した端末のアプリケーションレイヤ情報から特定されてもよい。ほかのコアネットワークデバイスから伝送されるネットワークポリシーパラメータを直接取得してもよい。当該ネットワークポリシーパラメータは、ほかのコアネットワークデバイスがアプリケーションサーバーから受信したアプリケーションレイヤ情報から特定される。なお、本実施例における当該アプリケーションサーバーのアプリケーションレイヤ情報は、主に端末の移動性情報とサービスの連続性特徴情報を含む。ここで、前記端末の移動性情報に対応するネットワークポリシーパラメータは、前記端末の移動性制限であり、前記サービスの連続性特徴情報に対応するネットワークポリシーパラメータは、ＰＤＵセッションに必要な連続性方式である。
【００４３】
本開示の実施例において、アプリケーションサーバーのアプリケーションレイヤ情報からネットワークポリシーパラメータを取得し、アプリケーションレイヤ情報から特定したネットワークポリシーパラメータと、現在のネットワークポリシーパラメータとが一致しない場合、ネットワークポリシーの更新をトリガーする。このような方式によれば、アプリケーションレイヤ情報を用いて現在のネットワークポリシーがネットワークの通信要件を満たすか否かを正しく判定することができる。現在のネットワークポリシーが通信要件を満たさない場合、ネットワークポリシーの更新をリアルタイムに行い、ネットワークポリシーの正確性を確保し、さらに、ネットワーク通信の信頼性を保証する。
【００４４】
図３に示すように、本開示の一部実施例のネットワークポリシー更新のトリガー方法は、ポリシー管理機能エンティティに応用される方法であり、アプリケーションサーバーから送信される端末のアプリケーションレイヤ情報を受信するステップ３１と、前記アプリケーションレイヤ情報に基づいて、前記アプリケーションレイヤ情報に対応するネットワークポリシーパラメータを特定するステップ３２と、前記ネットワークポリシーパラメータに基づいて、ネットワークポリシーの更新をトリガーするステップ３３とを含む。なお、本実施例において、ポリシー管理機能エンティティは、直接アプリケーションサーバーからアプリケーションレイヤ情報を取得する。当該アプリケーションレイヤ情報は、端末の移動性情報とサービスの連続性特徴情報を含む。
【００４５】
本実施例において、ポリシー管理機能エンティティは、直接アプリケーションレイヤ情報に基づいてネットワークポリシーパラメータを取得し、取得したネットワークポリシーパラメータと現在のネットワークポリシーパラメータとが一致せず、または新規のネットワークポリシーパラメータを取得すると、通常ネットワーク制御機能エンティティにネットワークポリシーの更新要求を送信する。ネットワーク制御機能エンティティは、ポリシー管理機能エンティティから送信されたネットワークポリシーの更新要求に基づいて、対応するネットワークポリシーの更新をトリガーする。
【００４６】
なお、通常、アプリケーションサーバーからアプリケーションレイヤ情報を正しく送信するために、本開示の実施例のネットワークポリシー更新のトリガー方法は、ステップ３１の前に、前記アプリケーションサーバーから指定のアプリケーションレイヤ情報の取得を指示する購読情報を前記アプリケーションサーバーに送信することをさらに含む。
【００４７】
なお、ポリシー管理機能エンティティは、現在のサービスのニーズに応じて、特定のアプリケーションサーバーにアプリケーション情報購読要求を送信する。当該アプリケーションサーバーは、無人運転自動車の制御サーバであってもよく、地図／ナビゲーションサーバなどであってもよい。通常の場合では、これらのアプリケーションサーバーは、端末にサービスを提供すると同時に、ポリシー管理機能エンティティからの購読情報に基づいて、端末の移動性情報をポリシー管理機能エンティティに提供する。例えば、無人運転自動車の制御サーバは、無人運転自動車の移動軌跡を提供する。
【００４８】
具体的に、前記アプリケーションレイヤ情報に端末の移動性情報が含まれる場合、前記ステップ３２の実現方式として、端末の移動性情報に基づいて、前記端末の移動性制限を特定する。
【００４９】
選択可能に、前記ステップ３３の具体的な実現方式として、前記ネットワークポリシーパラメータに基づいてネットワークポリシーを取得し、前記ネットワークポリシーに基づいて、ネットワークポリシーの更新をトリガーし、または、前記ネットワークポリシーパラメータに基づいてネットワークポリシーを取得し、前記ネットワークポリシーを保存し、ネットワークポリシーの更新をトリガーする。
【００５０】
なお、ネットワークポリシーパラメータによっては、ポリシー管理機能エンティティがネットワークポリシーの更新をリアルタイムにトリガーするとは限らない。ポリシー管理機能エンティティは、ネットワークポリシー更新過程を直ちに引き起こす必要がないと判断すると、ネットワークポリシーパラメータから得たネットワークポリシーを保存しておき、続いて、ネットワークポリシーの更新をトリガーすることが必要であると判断してから、ネットワークポリシー更新過程をトリガーする。
【００５１】
図４に示すように、端末の移動性情報によってネットワークポリシー更新をトリガーする具体的な過程は、以下である。
ステップ４．１において、ポリシー管理機能エンティティは、特定のアプリケーションサーバーにアプリケーション情報購読要求を送信する。
ステップ４．２において、アプリケーションサーバーは、アプリケーション情報購読要求を受信すると、ポリシー管理機能エンティティによるアプリケーションサーバーのアプリケーションレイヤ情報の購読成功を示すアプリケーション情報購読確認情報をポリシー管理機能エンティティに返信する。
ステップ４．３において、アプリケーションサーバーは、端末との間でアプリケーションレイヤ情報のやり取りを行う。
ステップ４．４において、アプリケーションサーバーは、端末の移動性情報を取得する。
ステップ４．５において、アプリケーションサーバーは、ポリシー管理機能エンティティの購読情報に基づいて、端末の移動性情報をポリシー管理機能エンティティに送信する。
ステップ４．６において、ポリシー管理機能エンティティは、端末移動性情報の受信に成功すると、確認メッセージをアプリケーションサーバーに送信する。
ステップ４．７において、ポリシー管理機能エンティティは、アプリケーションサーバーから提供される端末移動性情報（または移動規則）を受信すると、端末に必要な移動性制限を特定して保存する。例えば、無人運転自動車が、時間帯Ａにおいて運転状態にあり、時間帯Ｂにおいて停車状態であり、時間帯Ｃにおいて駐車状態であると、ポリシー管理サーバは、当該無人運転自動車の車載端末の移動性サポートレベルを、時間帯Ａ：高い移動性サポート、時間帯Ｂ：低い移動性サポート、時間帯Ｃ：非移動性サポートとそれぞれ定義する。
ステップ４．８において、ポリシー管理機能エンティティは、現在の端末に必要な移動性制限と現在の移動性制限とが一致しないと特定し、または端末の移動性制限の情報がない場合、当該端末の移動性制限に対するネットワークポリシー更新要求をネットワーク制御機能エンティティに送信し、当該ネットワークポリシー更新要求には、新規に特定した現在の端末に必要な移動性制限が付帯されている。
ステップ４．９において、ネットワーク制御機能エンティティは、ネットワークポリシー更新要求の受信に成功すると、ネットワークポリシー更新応答をポリシー管理機能エンティティに返信する。
ステップ４．１０において、ネットワーク制御機能エンティティは、移動性制限に対するネットワークポリシー更新要求をポリシー機能エンティティから受信すると、端末に対し、対応な移動性管理を行う。
【００５２】
具体的に、前記アプリケーションレイヤ情報にサービスの連続性特徴情報が含まれる場合、前記ステップ３２の実現方式として、サービスの連続性特徴情報に基づいて、ＰＤＵセッションに必要な連続性方式を特定する。
【００５３】
図５に示すように、サービスの連続性特徴情報によってネットワークポリシー更新をトリガーする具体的な過程は、以下である。
ステップ５．１において、アプリケーションサーバーは、端末とのアプリケーションレイヤ情報のやり取りによって、サービスの連続性特徴情報を取得する。
ステップ５．２において、アプリケーションサーバーは、サービスの連続性特徴情報をポリシー管理機能エンティティに送信する。
ステップ５．３において、ポリシー管理機能エンティティは、サービスの連続性特徴情報の受信に成功すると、確認メッセージをアプリケーションサーバーに送信する。
なお、上記３つのステップでは、主に、アプリケーションサーバーが当該端末に対し特別に設定したサービス連続性要件（すなわちサービスの連続性特徴情報）が伝送される。例えば、ＶＩＰユーザに対し、より高いサービス連続性を提供する。一般のアプリケーションのサービス連続性要件は、ネットワークに保存される。すなわち、アプリケーションサーバーがサービスの連続性要件を特定してからポリシー管理機能エンティティに送信することによって、ポリシー管理機能エンティティは、受信したサービス連続性要件をネットワークに保存する。
ステップ５．４において、ポリシー管理機能エンティティは、取得したサービスの連続性要件情報に基づいて、ＰＤＵセッションに必要な連続性方式を計算する。
ステップ５．５において、現在確立しているＰＤＵセッションの連続性方式とＰＤＵセッションに必要な連続性方式とがマッチしなければ、ポリシー管理機能エンティティは、新規に特定したＰＤＵセッションに必要な連続性方式が付帯されたポリシー更新要求をネットワーク制御機能エンティティに送信する。
ステップ５．６において、ネットワーク制御機能エンティティは、ネットワークポリシー更新要求の受信に成功すると、ネットワークポリシー更新応答をポリシー管理機能エンティティに返信する。
ステップ５．７において、ネットワーク制御機能エンティティは、ポリシー更新要求を受信すると、ＰＤＵセッションの連続性方式を更新する。必要なＰＤＵセッションを取得するには、下記２種類の方法がある。
１．新規の連続性方式でＰＤＵセッションを更新する。
２．元々のＰＤＵセッションを削除し、当該ＰＤＵセッションを再確立するように、端末に通知する。
【００５４】
本開示の実施例では、ポリシー管理機能エンティティは、アプリケーションサーバー側から直接取得したアプリケーションレイヤ情報に基づいてネットワークポリシーパラメータを特定し、ネットワークポリシーパラメータと現在のネットワークポリシーパラメータとが一致しない場合、ネットワークポリシーの更新をトリガーする。このような方式によれば、アプリケーションレイヤ情報を用いて現在のネットワークポリシーがネットワークの通信要件を満たすか否かを正しく判定することができる。現在のネットワークポリシーが通信要件を満たさない場合、ネットワークポリシーの更新をリアルタイムに行い、ネットワークポリシーの正確性を確保し、さらに、ネットワーク通信の信頼性を保証する。
【００５５】
図６に示すように、本開示の一部実施例のネットワークポリシー更新のトリガー方法は、ポリシー管理機能エンティティに応用される方法であり、コアネットワークデバイスが端末のアプリケーションレイヤ情報から特定したネットワークポリシーパラメータを前記コアネットワークデバイスから取得するステップ６１と、前記ネットワークポリシーパラメータに基づいて、ネットワークポリシーの更新をトリガーするステップ６２とを含む。
【００５６】
なお、本実施例におけるステップ６２の実現方式は、図３を参照して記載した実施例のステップ３３の実現方式とは同じであり、ここでは詳細に説明しない。
【００５７】
なお、本実施例において、ポリシー管理機能エンティティは、アプリケーションサーバーとは直接やり取りをせず、コアネットワークデバイスが端末のアプリケーションレイヤ情報から特定したネットワークポリシーパラメータを直接取得する。当該コアネットワークデバイスは、実際の応用においてケイパビリティーオープンプラットフォーム（ＣＡＰＡＢＩＬＩＴＹ ＯＰＥＮ Ｐｌａｔｆｏｒｍ）を指してもよい。当該ケイパビリティーオープンプラットフォームは、アプリケーションサーバーと直接に接続され、アプリケーションレイヤ情報を取得する。本開示の実施例の方式によれば、ポリシー管理機能エンティティのネットワーク負荷を軽減し、通信の安定性を保証する。
【００５８】
図７に示すように、本開示の一部実施例におけるポリシー管理機能エンティティ７０は、アプリケーションサーバーのアプリケーションレイヤ情報から特定されたネットワークポリシーパラメータを取得することに用いられる第１取得モジュール７１と、前記ネットワークポリシーパラメータに基づいて、ネットワークポリシーの更新をトリガーすることに用いられる第１トリガーモジュール７２とを含む。
【００５９】
選択可能に、前記第１取得モジュール７１は、アプリケーションサーバーから送信される端末のアプリケーションレイヤ情報を受信することに用いられる第１受信ユニットと、前記アプリケーションレイヤ情報に基づいて、前記アプリケーションレイヤ情報に対応するネットワークポリシーパラメータを特定することに用いられる特定ユニットを含む。
【００６０】
選択可能に、前記アプリケーションレイヤ情報に端末の移動性情報が含まれる場合、前記特定ユニットは、端末の移動性情報に基づいて、前記端末の移動性制限を特定することに用いられる。
【００６１】
選択可能に、前記アプリケーションレイヤ情報にサービスの連続性特徴情報が含まれる場合、前記特定ユニットは、サービスの連続性特徴情報に基づいて、ＰＤＵセッションに必要な連続性方式を特定することに用いられる。
【００６２】
選択可能に、前記ポリシー管理機能エンティティ７０は、前記アプリケーションサーバーから指定のアプリケーションレイヤ情報の取得を指示する購読情報を、前記アプリケーションサーバーに送信することに用いられる購読情報送信モジュールをさらに含む。
【００６３】
選択可能に、前記第１取得モジュール７１は、コアネットワークデバイスが端末のアプリケーションレイヤ情報から特定したネットワークポリシーパラメータを前記コアネットワークデバイスから取得することに用いられる取得ユニットを含む。
【００６４】
選択可能に、前記第１トリガーモジュール７２は、ネットワークポリシーの更新要求をネットワーク制御機能エンティティに送信することに用いられる。
【００６５】
選択可能に、前記第１トリガーモジュール７２は、前記ネットワークポリシーパラメータに基づいてネットワークポリシーを取得し、前記ネットワークポリシーに基づいて、ネットワークポリシーの更新をトリガーすること、または、前記ネットワークポリシーパラメータに基づいてネットワークポリシーを取得し、前記ネットワークポリシーを保存し、ネットワークポリシーの更新をトリガーすることに用いられる。
【００６６】
なお、当該ポリシー管理機能エンティティの実施例は、上記の方法実施例に一対一に対応するポリシー管理機能エンティティである。上記の方法実施例の全ての実施形態は、いずれも当該ポリシー管理機能エンティティの実施例に適用し、同一の技術効果を奏することもできる。
【００６７】
図８に示すように、本開示の一部実施例におけるポリシー管理機能エンティティは、プロセッサ８１と、バスインタフェース８２を介して前記プロセッサ８１に接続され、前記プロセッサ８１による操作実行に用いられるプログラムとデータを記憶することに用いられるメモリ８３を含む。プロセッサ８１は、前記メモリ８３に格納されているプログラムとデータを呼び出して実行すると、アプリケーションサーバーのアプリケーションレイヤ情報から特定されたネットワークポリシーパラメータを取得するプロセスと、前記ネットワークポリシーパラメータに基づいて、ネットワークポリシーの更新をトリガーするプロセスとを実行する。
【００６８】
なお、当該プロセッサ８１は、上記ポリシー管理機能エンティティの他の任意のモジュールの機能を実現することに用いられる。
【００６９】
なお、図８において、バスアーキテクチャは、任意数の相互接続するバスとブリッジを含み、具体的に、プロセッサ８１をはじめとする１つ又は複数のプロセッサとメモリ８３をはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。プロセッサ８１は、バスアーキテクチャと通常の処理を管理する。メモリ８３は、プロセッサ８１による操作実行に用いられるデータを記憶できる。
【００７０】
当業者は、上記実施例を実現するステップの全てまたは一部は、ハードウェアによって行われてもよく、コンピュータプログラムによって関連ハードウェアを指示して行われてもよいと理解できる。前記コンピュータプログラムは、上記方法のステップの一部または全てを実行する指令を含み、かつ読取可能な任意形式の記憶媒体に記憶される。
【００７１】
図９に示すように、本開示の一部実施例のネットワークポリシー更新のトリガー方法は、コアネットワークデバイスに応用される方法であり、端末のアプリケーションレイヤ情報をアプリケーションサーバーから取得するステップ９１と、前記アプリケーションレイヤ情報に基づいて、前記アプリケーションレイヤ情報に対応するネットワークポリシーパラメータを取得するステップ９２と、契約管理機能エンティティまたはポリシー管理機能エンティティに前記ネットワークポリシーパラメータを送信し、前記契約管理機能エンティティまたはポリシー管理機能エンティティによるネットワークポリシーの更新をトリガーするステップ９３とを含む。なお、前記アプリケーションレイヤ情報には、端末の移動性情報および／またはサービスの連続性特徴情報が含まれる。ここで、前記端末の移動性情報に対応するネットワークポリシーパラメータは、前記端末の移動性制限であり、前記サービスの連続性特徴情報に対応するネットワークポリシーパラメータは、ＰＤＵセッションに必要な連続性方式である。
【００７２】
なお、一部の場合では、アプリケーションサーバーと３ＧＰＰ（３ｒｄ  Ｇｅｎｅｒａｔｉｏｎ  Ｐａｒｔｎｅｒｓｈｉｐ  Ｐｒｏｊｅｃｔ）ネットワークとの間に直接的なインタフェース、例えばＬＴＥネットワークのＲｘインタフェースを有するとは限らない。したがって、この場合、アプリケーションサーバーは、他のコアネットワークデバイスからアプリケーションレイヤ情報の提供が必要となる。当該コアネットワークデバイスは、ケイパビリティーオープンプラットフォームであってもよい。
【００７３】
具体的に、前記ステップ９２の実現方式として、前記アプリケーションレイヤ情報に対し分析と抽出を行うことによって、前記アプリケーションレイヤ情報を対応するネットワークポリシーパラメータに変換する。
【００７４】
なお、ケイパビリティーオープンプラットフォームは、アプリケーションサーバーの関連情報を受信すると、情報の分析および抽出を行い、アプリケーションレイヤ情報を３ＧＰＰネットワークに識別可能な情報に変換する。例えば、端末の移動性情報に基づいて端末の移動性制限を特定し、サービスの連続性要件に基づいてＰＤＵセッションの連続性方式を特定する。
【００７５】
図１０に示すように、本開示の実施例のネットワークポリシー更新のトリガー方法の詳細な実現過程は、以下である。
ステップ１０．１において、ケイパビリティーオープンプラットフォームは、アプリケーションサーバーから端末またはアプリケーションの関連情報、例えば端末の移動性情報とサービスの連続性要件を含むアプリケーションレイヤ情報を受信する。
ステップ１０．２において、ケイパビリティーオープンプラットフォームは、アプリケーションレイヤ情報の受信に成功すると、確認メッセージをアプリケーションサーバーに送信する。
ステップ１０．３において、ケイパビリティーオープンプラットフォームは、受信した関連情報に対し情報の分析および抽出を行い、アプリケーションレイヤ情報を３ＧＰＰに識別可能な情報に変換する。例えば、端末の移動性情報に基づいて端末の移動性制限を特定し、アプリケーションのサービス連続性要件に基づいて、ＰＤＵセッションの連続性方式を特定する。
ステップ１０．４において、ケイパビリティーオープンプラットフォームは、移動性制限および／またはＰＤＵセッションの連続性方式をポリシー管理機能エンティティに送信する。情報を受信したポリシー管理機能エンティティは、ポリシー更新過程をトリガーする。
ステップ１０．５において、ポリシー管理機能エンティティは、ケイパビリティーオープンプラットフォームから送信された情報の受信に成功すると、情報伝送確認メッセージをケイパビリティーオープンプラットフォームにフィードバックする。
ステップ１０．６において、ケイパビリティーオープンプラットフォームは、移動性制限および／またはＰＤＵセッションの連続性方式を契約管理機能エンティティに送信する。情報を受信した契約管理機能エンティティは、ネットワークポリシー更新過程をトリガーする。
ステップ１０．７において、契約管理機能エンティティは、ケイパビリティーオープンプラットフォームから送信された情報の受信に成功すると、情報伝送確認メッセージをケイパビリティーオープンプラットフォームにフィードバックする。
【００７６】
なお、ステップ１０．４とステップ１０．６は、並列不可能なステップであり、すなわち、ケイパビリティーオープンプラットフォームが契約管理機能エンティティとポリシー管理機能エンティティのうちの一方を選択して情報を送信するが、具体的にどちらを選択するかは、ケイパビリティーオープンプラットフォームのネットワーク稼動状態に応じて決められる。
【００７７】
本開示の実施例において、アプリケーションサーバーと３ＧＰＰネットワークとの間に直接なインタフェースが存在しない場合、ケイパビリティーオープンプラットフォームは、アプリケーションサーバーのアプリケーションレイヤ情報をネットワークの契約管理機能エンティティまたはポリシー管理機能エンティティに伝送し、同時に、契約管理機能エンティティとポリシー管理機能エンティティの稼動負荷を軽減するために、アプリケーションレイヤ情報を変換してネットワークポリシーパラメータを得てから伝送する。このような方式によれば、アプリケーションレイヤ情報をコアネットワーク側に順調に伝送することを保証するとともに、契約管理機能エンティティとポリシー管理機能エンティティの負荷が大きくネットワークの稼動に影響を与える問題を避ける。
【００７８】
図１１に示すように、本開示の一部実施例のコアネットワークデバイス１１０は、端末のアプリケーションレイヤ情報をアプリケーションサーバーから取得することに用いられる第２取得モジュール１１１と、前記アプリケーションレイヤ情報に基づいて、前記アプリケーションレイヤ情報に対応するネットワークポリシーパラメータを取得することに用いられる第３取得モジュール１１２と、契約管理機能エンティティまたはポリシー管理機能エンティティに前記ネットワークポリシーパラメータを送信し、前記契約管理機能エンティティまたはポリシー管理機能エンティティによるネットワークポリシーの更新をトリガーすることに用いられるパラメータ送信モジュール１１３とを含む。
【００７９】
具体的に、前記アプリケーションレイヤ情報には、端末の移動性情報および／またはサービスの連続性特徴情報が含まれる。ここで、前記端末の移動性情報に対応するネットワークポリシーパラメータは、前記端末の移動性制限であり、前記サービスの連続性特徴情報に対応するネットワークポリシーパラメータは、ＰＤＵセッションに必要な連続性方式である。
【００８０】
選択可能に、前記第３取得モジュール１１２は、前記アプリケーションレイヤ情報に対し分析と抽出を行うことによって、前記アプリケーションレイヤ情報を対応するネットワークポリシーパラメータに変換することに用いられる。
【００８１】
なお、当該コアネットワークデバイスの実施例は、図９を参照して記載した方法実施例に一対一に対応するコアネットワークデバイスである。上記の方法実施例の全ての実施形態は、いずれも当該コアネットワークデバイスの実施例に適用し、同一の技術効果を奏することもできる。
【００８２】
図１２に示すように、本実施例におけるコアネットワークデバイスは、プロセッサ１２１と、バスインタフェース１２２を介して前記プロセッサ１２１に接続され、前記プロセッサ１２１による操作実行に用いられるプログラムとデータを記憶することに用いられるメモリ１２３を含む。プロセッサ１２１は、前記メモリ１２３に格納されているプログラムとデータを呼び出して実行すると、端末のアプリケーションレイヤ情報をアプリケーションサーバーから取得するプロセスと、前記アプリケーションレイヤ情報に基づいて、前記アプリケーションレイヤ情報に対応するネットワークポリシーパラメータを取得するプロセスと、契約管理機能エンティティまたはポリシー管理機能エンティティに前記ネットワークポリシーパラメータをトランシーバ１２４で送信し、前記契約管理機能エンティティまたはポリシー管理機能エンティティによるネットワークポリシーの更新をトリガーするプロセスを実行する。
【００８３】
なお、当該プロセッサ１２１は、上記コアネットワークデバイスの他の任意のモジュールの機能を実現することに用いられる。
【００８４】
なお、当該コアネットワークデバイスは、ネットワークにおけるケイパビリティーオープンプラットフォームであってもよい。
【００８５】
なお、トランシーバ１２４は、バスインタフェース１２２に接続され、プロセッサ１２１による制御でネットワークポリシーパラメータを送信することに用いられる。
【００８６】
なお、図１２において、バスアーキテクチャは、任意数の相互接続するバスとブリッジを含み、具体的に、プロセッサ１２１をはじめとする１つ又は複数のプロセッサとメモリ１２３をはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。トランシーバ１２４は、複数の部品であってもよく、即ち送信機と受信機を含み、伝送媒体でほかの各種類の装置と通信するユニットとして提供される。プロセッサ１２１は、バスアーキテクチャと通常の処理を管理する。メモリ１２３は、プロセッサ１２１による操作実行に用いられるデータを記憶できる。
【００８７】
当業者は、上記実施例を実現するステップの全てまたは一部は、ハードウェアによって行われてもよく、コンピュータプログラムによって関連ハードウェアを指示して行われてもよいと理解できる。前記コンピュータプログラムは、上記方法のステップの一部または全てを実行する指令を含み、かつ読取可能な任意形式の記憶媒体に記憶される。
【００８８】
図１３に示すように、本開示の一部実施例の、契約管理機能エンティティに応用されるネットワークポリシー更新のトリガー方法は、コアネットワークデバイスがアプリケーションサーバーのアプリケーションレイヤ情報から特定したネットワークポリシーパラメータを前記コアネットワークデバイスから受信するステップ１３１と、前記ネットワークポリシーパラメータを保存し、前記ネットワークポリシーパラメータに基づいて、ネットワークポリシーの更新をトリガーし、または、前記ネットワークポリシーパラメータに基づいてネットワークポリシーを取得し、前記ネットワークポリシーを保存し、ネットワークポリシーの更新をトリガーするステップ１３２を含む。なお、前記アプリケーションレイヤ情報には、端末の移動性情報および／またはサービスの連続性特徴情報が含まれる。ここで、前記端末の移動性情報に対応するネットワークポリシーパラメータは、前記端末の移動性制限であり、前記サービスの連続性特徴情報に対応するネットワークポリシーパラメータは、ＰＤＵセッションに必要な連続性方式である。
【００８９】
コアネットワークデバイスから送信されるネットワークポリシーパラメータを受信し、当該ネットワークポリシーパラメータに基づいて、ネットワークポリシーの更新を行うかを判断する。更新をトリガーすることが必要であれば、更新要求をネットワーク制御機能エンティティに送信する。アプリケーションサーバーのアプリケーションレイヤ情報から特定したネットワークポリシーパラメータに基づいて、ネットワークポリシーの更新を行うかを判断する。このような方式によれば、ネットワークポリシーの正確性を確保し、さらに、ネットワーク通信の信頼性を保証する。
【００９０】
図１４に示すように、本開示の実施例の契約管理機能エンティティ１４０は、コアネットワークデバイスがアプリケーションサーバーのアプリケーションレイヤ情報から特定したネットワークポリシーパラメータを前記コアネットワークデバイスから受信することに用いられる受信モジュール１４１と、前記ネットワークポリシーパラメータを保存し、前記ネットワークポリシーパラメータに基づいて、ネットワークポリシーの更新をトリガーすることに用いられる第２トリガーモジュール１４２、または、前記ネットワークポリシーパラメータに基づいてネットワークポリシーを取得し、前記ネットワークポリシーを保存し、ネットワークポリシーの更新をトリガーすることに用いられる第３トリガーモジュール１４３を含む。なお、前記アプリケーションレイヤ情報には、端末の移動性情報および／またはサービスの連続性特徴情報が含まれる。ここで、前記端末の移動性情報に対応するネットワークポリシーパラメータは、前記端末の移動性制限であり、前記サービスの連続性特徴情報に対応するネットワークポリシーパラメータは、ＰＤＵセッションに必要な連続性方式である。
【００９１】
なお、当該契約管理機能エンティティの実施例は、図１３を参照して記載した方法実施例に一対一に対応する契約管理機能エンティティである。上記の方法実施例の全ての実施形態は、いずれも当該契約管理機能エンティティの実施例に適用し、同一の技術効果を奏することもできる。
【００９２】
図１５に示すように、本実施例における契約管理機能エンティティは、プロセッサ１５１と、バスインタフェース１５２を介して前記プロセッサ１５１に接続され、前記プロセッサ１５１による操作実行に用いられるプログラムとデータを記憶することに用いられるメモリ１５３を含む。プロセッサ１５１は、前記メモリ１５３に格納されているプログラムとデータを呼び出して実行すると、コアネットワークデバイスがアプリケーションサーバーのアプリケーションレイヤ情報から特定したネットワークポリシーパラメータを前記コアネットワークデバイスからトランシーバ１５４経由で受信するプロセスと、前記ネットワークポリシーパラメータを保存し、前記ネットワークポリシーパラメータに基づいて、ネットワークポリシーの更新をトリガーし、または、前記ネットワークポリシーパラメータに基づいてネットワークポリシーを取得し、前記ネットワークポリシーを保存し、ネットワークポリシーの更新をトリガーするプロセスを実行する。
【００９３】
なお、当該プロセッサ１５１は、上記契約管理機能エンティティの他の任意のモジュールの機能を実現することに用いられる。
【００９４】
なお、トランシーバ１５４は、バスインタフェース１５２に接続され、プロセッサ１５１による制御でネットワークポリシーパラメータを送信することに用いられる。
【００９５】
なお、図１５において、バスアーキテクチャは、任意数の相互接続するバスとブリッジを含み、具体的に、プロセッサ１５１をはじめとする１つ又は複数のプロセッサとメモリ１５３をはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。トランシーバ１５４は、複数の部品であってもよく、即ち送信機と受信機を含み、伝送媒体でほかの各種類の装置と通信するユニットとして提供される。プロセッサ１５１は、バスアーキテクチャと通常の処理を管理する。メモリ１５３は、プロセッサ１５１による操作実行に用いられるデータを記憶できる。
【００９６】
当業者は、上記実施例を実現するステップの全てまたは一部は、ハードウェアによって行われてもよく、コンピュータプログラムによって関連ハードウェアを指示して行われてもよいと理解できる。前記コンピュータプログラムは、上記方法のステップの一部または全てを実行する指令を含み、かつ読取可能な任意形式の記憶媒体に記憶される。
【００９７】
以上記載されたのは、本開示の選択可能な実施形態である。なお、当業者は、本開示に記載されている原理を逸脱せずに様々な改良や修飾をすることもできる。これらの改良や修飾も、本開示の保護範囲内に含まれる。
【図１】
2019523605.tif 000003
【図２】
2019523605.tif 000004
【図３】
2019523605.tif 000005
【図４】
2019523605.tif 000006
【図５】
2019523605.tif 000007
【図６】
2019523605.tif 000008
【図７】
2019523605.tif 000009
【図８】
2019523605.tif 000010
【図９】
2019523605.tif 000011
【図１０】
2019523605.tif 000012
【図１１】
2019523605.tif 000013
【図１２】
2019523605.tif 000014
【図１３】
2019523605.tif 000015
【図１４】
2019523605.tif 000016
【図１５】
2019523605.tif 000017
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
ポリシー管理機能エンティティに応用されるネットワークポリシー更新のトリガー方法であって、
端末のアプリケーションレイヤ情報から特定されたネットワークポリシーパラメータを取得するステップと、
前記ネットワークポリシーパラメータに基づいて、ネットワークポリシーの更新をトリガーするステップとを含むネットワークポリシー更新のトリガー方法。
【請求項２】
前記ネットワークポリシーパラメータを取得するステップは、
アプリケーションサーバーから送信される端末のアプリケーションレイヤ情報を受信するステップと、
前記アプリケーションレイヤ情報に基づいて、前記アプリケーションレイヤ情報に対応するネットワークポリシーパラメータを特定するステップとを含む請求項１に記載のネットワークポリシー更新のトリガー方法。
【請求項３】
前記アプリケーションレイヤ情報に端末の移動性情報が含まれる場合、
前記アプリケーションレイヤ情報に基づいて、前記アプリケーションレイヤ情報に対応するネットワークポリシーパラメータを特定するステップは、
端末の移動性情報に基づいて、前記端末の移動性制限を特定することを含む請求項２に記載のネットワークポリシー更新のトリガー方法。
【請求項４】
前記アプリケーションレイヤ情報にサービスの連続性特徴情報が含まれる場合、
前記アプリケーションレイヤ情報に基づいて、前記アプリケーションレイヤ情報に対応するネットワークポリシーパラメータを特定するステップは、
サービスの連続性特徴情報に基づいて、ＰＤＵ（Ｐｒｏｔｏｃｏｌ  Ｄａｔａ  Ｕｎｉｔ）セッションに必要な連続性方式を特定することを含む請求項２に記載のネットワークポリシー更新のトリガー方法。
【請求項５】
前記アプリケーションサーバーから送信されるアプリケーションレイヤ情報を受信するステップの前に、
前記アプリケーションサーバーから指定のアプリケーションレイヤ情報の取得を指示する購読情報を、前記アプリケーションサーバーに送信することをさらに含む請求項２に記載のネットワークポリシー更新のトリガー方法。
【請求項６】
前記ネットワークポリシーパラメータを取得するステップは、
コアネットワークデバイスが端末のアプリケーションレイヤ情報から特定したネットワークポリシーパラメータを前記コアネットワークデバイスから取得することを含む請求項１に記載のネットワークポリシー更新のトリガー方法。
【請求項７】
前記ネットワークポリシーの更新をトリガーするステップは、
ネットワークポリシーの更新要求をネットワーク制御機能エンティティに送信することを含む請求項１に記載のネットワークポリシー更新のトリガー方法。
【請求項８】
前記ネットワークポリシーパラメータに基づいて、ネットワークポリシーの更新をトリガーするステップは、
前記ネットワークポリシーパラメータに基づいてネットワークポリシーを取得し、前記ネットワークポリシーに基づいて、ネットワークポリシーの更新をトリガーすること、または、前記ネットワークポリシーパラメータに基づいてネットワークポリシーを取得し、前記ネットワークポリシーを保存し、ネットワークポリシーの更新をトリガーすることを含む請求項１に記載のネットワークポリシー更新のトリガー方法。
【請求項９】
端末のアプリケーションレイヤ情報から特定されたネットワークポリシーパラメータを取得することに用いられる第１取得モジュールと、
前記ネットワークポリシーパラメータに基づいて、ネットワークポリシーの更新をトリガーすることに用いられる第１トリガーモジュールとを含むポリシー管理機能エンティティ。
【請求項１０】
コアネットワークデバイスに応用されるネットワークポリシー更新のトリガー方法であって、
端末のアプリケーションレイヤ情報をアプリケーションサーバーから取得するステップと、
前記アプリケーションレイヤ情報に基づいて、前記アプリケーションレイヤ情報に対応するネットワークポリシーパラメータを取得するステップと、
契約管理機能エンティティまたはポリシー管理機能エンティティに前記ネットワークポリシーパラメータを送信し、前記契約管理機能エンティティまたはポリシー管理機能エンティティによるネットワークポリシーの更新をトリガーするステップとを含むネットワークポリシー更新のトリガー方法。
【請求項１１】
前記アプリケーションレイヤ情報には、端末の移動性情報および／またはサービスの連続性特徴情報が含まれ、
前記端末の移動性情報に対応するネットワークポリシーパラメータは、前記端末の移動性制限であり、
前記サービスの連続性特徴情報に対応するネットワークポリシーパラメータは、ＰＤＵセッションに必要な連続性方式である請求項１０に記載のネットワークポリシー更新のトリガー方法。
【請求項１２】
前記アプリケーションレイヤ情報に基づいて、前記アプリケーションレイヤ情報に対応するネットワークポリシーパラメータを取得するステップは、
前記アプリケーションレイヤ情報に対し分析と抽出を行うことによって、前記アプリケーションレイヤ情報を対応するネットワークポリシーパラメータに変換することを含む請求項１０に記載のネットワークポリシー更新のトリガー方法。
【請求項１３】
端末のアプリケーションレイヤ情報をアプリケーションサーバーから取得することに用いられる第２取得モジュールと、
前記アプリケーションレイヤ情報に基づいて、前記アプリケーションレイヤ情報に対応するネットワークポリシーパラメータを取得することに用いられる第３取得モジュールと、
契約管理機能エンティティまたはポリシー管理機能エンティティに前記ネットワークポリシーパラメータを送信し、前記契約管理機能エンティティまたはポリシー管理機能エンティティによるネットワークポリシーの更新をトリガーすることに用いられるパラメータ送信モジュールとを含むコアネットワークデバイス。
【請求項１４】
契約管理機能エンティティに応用されるネットワークポリシー更新のトリガー方法であって、
コアネットワークデバイスがアプリケーションサーバのアプリケーションレイヤ情報から特定したネットワークポリシーパラメータを前記コアネットワークデバイスから受信するステップと、
前記ネットワークポリシーパラメータを保存し、前記ネットワークポリシーパラメータに基づいて、ネットワークポリシーの更新をトリガーし、または、前記ネットワークポリシーパラメータに基づいてネットワークポリシーを取得し、前記ネットワークポリシーを保存し、ネットワークポリシーの更新をトリガーするステップを含むネットワークポリシー更新のトリガー方法。
【請求項１５】
コアネットワークデバイスがアプリケーションサーバのアプリケーションレイヤ情報から特定したネットワークポリシーパラメータを前記コアネットワークデバイスから受信することに用いられる受信モジュールと、
前記ネットワークポリシーパラメータを保存し、前記ネットワークポリシーパラメータに基づいて、ネットワークポリシーの更新をトリガーすることに用いられる第２トリガーモジュール、または、前記ネットワークポリシーパラメータに基づいてネットワークポリシーを取得し、前記ネットワークポリシーを保存し、ネットワークポリシーの更新をトリガーすることに用いられる第３トリガーモジュールを含む契約管理機能エンティティ。
【国際調査報告】
2019523605.tif 000018
2019523605.tif 000019
2019523605.tif 000020
2019523605.tif 000021